(57)【要約】【課題】  本体フレームの底板より外方に突出して位置する外装カバーを備えた電子機器において、その電子機器を移動させるとき、作業者が誤って、その外装カバーの下部に手を掛け、電子機器を持ち上げてしまうことにより、外装カバーが破損することを阻止する。【解決手段】  外装カバー１の下部３が、鉛直線ＶＬに対して１０°以上で、５０°以下の角度θをなした状態に傾斜している。【選択図】  図２
2006059945.tif 000002
【特許請求の範囲】
【請求項１】
本体フレームの底板よりも外方に突出して位置する外装カバーを備えた電子機器において、前記外装カバーの下部が鉛直線に対して１０°以上で５０°以下の角度をなした状態に傾斜していることを特徴とする電子機器。
【請求項２】
前記外装カバーの下部に空気取入口が形成され、該外装カバーの上部には空気排出口が形成されている請求項１に記載の電子機器。
【請求項３】
前記外装カバーの上部が、面取りされた状態に傾斜している請求項２に記載の電子機器。
【請求項４】
前記外装カバーと、本体フレームの側板との間に電装基板が配置されている請求項２又は３に記載の電子機器。
【請求項５】
前記外装カバーの上部と下部の間の部分に空気出入口が形成されている請求項２乃至４のいずれかに記載の電子機器。
【請求項６】
前記空気取入口に外部の空気を強制的に取り入れるためのファンと、前記空気排出口から強制的に空気を排出させるためのファンの少なくとも一方が設けられている請求項２乃至５のいずれかに記載の電子機器。
【発明の詳細な説明】
【技術分野】
【０００１】
本発明は、本体フレームの底板よりも外方に突出して位置する外装カバーを備えた電子機器に関する。
【背景技術】
【０００２】
複写機、プリンタ、ファクシミリ、印刷機などの画像形成装置、ＡＶ機器、或いはその他の電化製品などの電子機器は、内部の各種装置を覆う外装カバーを備えている（例えば、特許文献１参照）。図４は、画像形成装置の一例である複写機の後部を簡略化して示した部分断面側面図である。ここに示した複写機は、その本体フレームの底板２Ａよりも外方に突出した外装カバー１Ａを有し、この外装カバー１Ａの下部３Ａは、ほぼ水平となっていて、鉛直線ＶＬに対してほぼ９０°の角度θＡをなしている。このため、この複写機を移動させるとき、作業者が外装カバー１Ａの下部３Ａの下面に手を掛け、ここを持って複写機を持ち上げて移動させることがある。ところが、外装カバー１Ａは、一般に薄い樹脂板より成り、しかも外装カバー１Ａが本体フレームに連結される部分も少ないため、その外装カバー１Ａの強度が低いのが普通であり、かかる外装カバー１Ａの下部３Ａに手を掛けて複写機を持ち上げると、外装カバー１Ａに大きな外力が加えられて、その外装カバー１Ａが破損するおそれがある。
【０００３】
【特許文献１】特開平９−４４０４１号公報
【発明の開示】
【発明が解決しようとする課題】
【０００４】
本発明の目的は、上述した従来の欠点を回避できる冒頭に記載した形式の電子機器を提供することにある。
【課題を解決するための手段】
【０００５】
本発明は、上記目的を達成するため、冒頭に記載した形式の電子機器において、前記外装カバーの下部が鉛直線に対して１０°以上で５０°以下の角度をなした状態に傾斜していることを特徴とする電子機器を提案する（請求項１）。
【０００６】
また、上記請求項１に記載の電子機器において、前記外装カバーの下部に空気取入口が形成され、該外装カバーの上部には空気排出口が形成されていと有利である（請求項２）。
【０００７】
さらに、上記請求項２に記載の電子機器において、前記外装カバーの上部が、面取りされた状態に傾斜していると有利である（請求項３）。
【０００８】
また、上記請求項２又は３に記載の電子機器において、前記外装カバーと、本体フレームの側板との間に電装基板が配置されていると有利である（請求項４）。
【０００９】
さらに、上記請求項２乃至４のいずれかに記載の電子機器において、前記外装カバーの上部と下部の間の部分に空気出入口が形成されていると有利である（請求項５）。
【００１０】
また、上記請求項２乃至５のいずれかに記載の電子機器において、前記空気取入口に外部の空気を強制的に取り入れるためのファンと、前記空気排出口から強制的に空気を排出させるためのファンの少なくとも一方が設けられていると有利である（請求項６）。
【発明の効果】
【００１１】
本発明によれば、外装カバーの下部が傾斜しているので、電子機器を移動させるとき、作業者が外装カバーの下部を持って当該電子機器を持ち上げることはない。このため、外装カバーが破損するおそれはない。
【発明を実施するための最良の形態】
【００１２】
以下、本発明の実施形態例を図面に従って詳細に説明する。
【００１３】
図１は、電子機器の一例である複写機を、その斜め後方より見た外観斜視図であって、複写機を簡略化して示した図である。また、図２は図１に示した複写機の後部の部分断面側面図である。これらの図に示した複写機は、その背部に位置する外装カバー１を有し、この外装カバー１は、本体フレームに取り付けられていると共に、その本体フレームの底板２よりも外方（図の例では後方）に突出して位置している。
【００１４】
図１及び図２から判るように、上述した外装カバー１の下部３は、面取りされた状態に傾斜している。すなわち、外装カバー１の下部３は、鉛直線ＶＬに対して、１０°以上で、５０°以下（好ましくは４５°以下）の角度θをなした状態に傾斜している。このため、複写機を移動させる際、作業者が外装カバー１の下部３に手を掛け、ここを持って複写機を持ち上げようとしても、実際には、この下部３に手を掛けて複写機を持ち上げることはできない。このため、外装カバー１に大きな外力が加えられることはなく、該外装カバー１が破損する不具合を阻止できる。
【００１５】
図３は、図１に示した外装カバー１を取り外したときの複写機の様子を示す斜視図である。この図から判るように、複写機本体内には本体フレームの側板４が位置している。図１に示したように外装カバー１が取り付けられた状態では、この外装カバー１と、本体フレームの側板４との間に空間が区画され、この空間に電源用若しくは制御用の電装基板が縦置きに配置されている。図３に示した例では、第１及び第２の電装品５，６が配置され、その各カバー７，８の内部に、図示していない電装基板が収められ、符号９で示した電装基板はカバーに収められずに露出した状態で配置されている。画像形成に直接関係する各種機器は、側板４よりも前方側（図２における左側）に配置されている。また、図２には、側板４、電装品、電装基板の図示を省略してある。
【００１６】
電装基板上の電子素子は、許容温度の上限があるため、基板回路などから出た熱を外部に排出させる必要がある。そこで、本例の複写機においては、図１及び図２に示すように、外装カバー１の下部３に、スリット状の空気取入口１０が形成され、しかもこの外装カバー１の上部１１にもスリット状の空気排出口１２が形成されている。これにより、外部の空気が、空気取入口１０を通して、外装カバー１と側板４との間の空間内に流入し、次いでその空気は、空間内に配置された電装基板９と、第１及び第２の電装品５，６の各カバー７，８の内部を通り、引き続き上部１１の空気排出口１２から外部に排出される。これにより、電装基板上の電子素子を効果的に冷却することができる。
【００１７】
また、図１に示すように、外装カバー１の上部１１を、面取りした状態に傾斜させ、ここに空気排出口１２を形成すれば、図２に二点鎖線で示したように、複写機の上部の部分１３が、外装カバー１の上部１１の上方に位置しているときも、鎖線矢印Ａで示すように、空気排出口１２から支障なく空気を排出させることができる。
【００１８】
さらに、本例の複写機には、図１に示すように、外装カバー１の上部１１と下部３の間の部分に空気出入口１４が形成されている。これにより、外装カバー１と側板４の間の空間内を上昇する温まった空気の少なくとも一部を、空気出入口１４を通して外部に排出させ、逆に温度の低い外気を空気出入口１４から空間内に導入することができる。このようにして、電装基板の冷却効果を一層高めることができる。なお、図１に示した例では、空気出入口１４の部位に、第２の電装品６のカバー８が位置し、このカバー８に形成されたスリット１５を通して、温まった空気の排出と、冷えた空気の導入が行われる。
【００１９】
また、空気取入口１０に外部の空気を強制的に取り入れるための図示していないファンと、空気排出口１２から強制的に空間内の空気を排出させるための、同じく図示していないファンの少なくとも一方を設けると、排熱効果を一層高めることができる。空間の上下方向中間部にファンを設けることもできる。
【００２０】
以上、複写機の背部に位置する外装カバー１に本発明に係る構成を適用した例を示したが、例えば複写機の側部に位置する外装カバー１６や、前部に位置する外装カバーが、本体フレームの底板２よりも外方に突出している場合には、これらの外装カバーにも、前述した各構成を採用することができる。
【００２１】
また、本発明は複写機以外の各種電子機器にも適用できるものである。
【図面の簡単な説明】
【００２２】
【図１】複写機を、その斜め後方から見た斜視図である。
【図２】図１に示した複写機の後部の部分断面側面図である。
【図３】複写機の背部に位置する外装カバーを取り外した状態を示す斜視図である。
【図４】従来の画像形成装置を示す、図２と同様な部分断面側面図である。
【符号の説明】
【００２３】
１  外装カバー
２  底板
４  側板
９  電装基板
１０  空気取入口
１１  上部
１２  空気排出口
１４  空気出入口
ＶＬ  鉛直線
θ  角度
【図１】
2006059945.tif 000003
【図２】
2006059945.tif 000004
【図３】
2006059945.tif 000005
【図４】
2006059945.tif 000006